(57)【要約】【課題】作業の安定性が高く、コンパクトで移動が容易な、法枠工における作業足場装置の提供を目的とする。【解決手段】法枠に沿って載置支持される作業足場装置であって、法枠の傾斜面に沿って載置する載置フレームと、当該載置フレームから立設した複数の立設フレームと、当該複数の立設フレームにて略水平に支持された作業場を有し、前記立設フレーム又は／及び載置フレームに法枠との係止部を設けたことを特徴とする。【選択図】  図１
2013113003.tif 000002
【特許請求の範囲】
【請求項１】
法枠に沿って載置支持される作業足場装置であって、
法枠の傾斜面に沿って載置する載置フレームと、当該載置フレームから立設した複数の立設フレームと、当該複数の立設フレームにて略水平に支持された作業場を有し、前記立設フレーム又は／及び載置フレームに法枠との係止部を設けたことを特徴とする作業足場装置。
【請求項２】
前記載置フレームは法枠の傾斜面に沿って載置できるように角度調整手段を有することを特徴とする請求項１記載の作業足場装置。
【発明の詳細な説明】
【技術分野】
【０００１】
本発明は、傾斜地の安定化を図る法枠工において、法枠の内側に中詰工を施工する作業やアンカー材の施工等の各種傾斜作業に用いる作業足場装置に関する。
【背景技術】
【０００２】
傾斜地に格子状に施工した法枠の枠内には、各種中詰工が施されている。
また、法枠の安定化を図るのに法枠の縦枠と横枠との交差部に設けた口元管から地盤に対して削孔を形成し、アンカー材を施工することも行われてる。
このような傾斜地の作業においては、これまで一般的に法面に沿って複数の支柱からなる足場を組み上げて作業場を確保していた。
しかし、これでは法面に沿って順次作業場を移動するのに足場の組み上げと分解を繰り返し行わなければならず、例えば法枠内に中詰工を行うよりも足場の移動に工数がかかる場合もあり、移動作業が大変であった。
【０００３】
特許文献１〜３には、法枠に沿って移動する施工設備や装置を開示するが、いずれも装置が複雑で大型であり操作も大変である。
【先行技術文献】
【特許文献】
【０００４】
【特許文献１】特開２０１１−１２４９８号公報
【特許文献２】特開２００８−２５２９７号公報
【特許文献３】特開２０００−６４２９２号公報
【発明の概要】
【発明が解決しようとする課題】
【０００５】
本発明は、作業の安定性が高く、コンパクトで移動が容易な、法枠工における作業足場装置の提供を目的とする。
【課題を解決するための手段】
【０００６】
本発明は、法枠に沿って載置支持される作業足場装置であって、法枠の傾斜面に沿って載置する載置フレームと、当該載置フレームから立設した複数の立設フレームと、当該複数の立設フレームにて略水平に支持された作業場を有し、前記立設フレーム又は／及び載置フレームに法枠との係止部を設けたことを特徴とする。
ここで、作業場は傾斜した法枠に対して略水平方向に張り出すことになるから、側面視で作業場と立設フレームとが略直角になり、載置フレームが斜辺となる略直角三角形になる。
また、立設フレーム又は／及び載置フレームに法枠との係止部を設けるとは、重機等で本発明に係る作業足場装置を吊り上げ、載置フレームが法枠の傾斜面に沿って接するように降下させると、係止部が法枠の横枠上部又はその内側に係止し、位置決めができることをいう。
従って、立設フレームの下端に係止部を設けてもよく、載置フレームから下側に係止部材を垂下させてもよい。
【０００７】
本発明に係る作業足場装置は、現地による法枠の傾斜角度のバラツキを吸収しやすいように載置フレームに角度調整手段を設けてもよい。
【発明の効果】
【０００８】
本発明に係る作業足場装置は、重機等で吊り上げ、法枠の傾斜面に上方から降下させるだけで、立設フレーム又は／及び載置フレームに設けた係止部を法枠の横枠の上部内側に係止させることができるので、構造が簡単でありながら足場安定性が高く移動も容易である。
【図面の簡単な説明】
【０００９】
【図１】本発明に係る作業足場装置を法枠に沿って載置及び支持した状態を示す。
【図２】作業足場装置の法枠係止状態の断面説明図を示す。
【図３】係止部が横枠の上部に係止した状態を示す。
【図４】作業足場装置の斜視図を示す。
【図５】作業足場装置を重機で吊り上げている状態を示す。
【図６】作業足場装置を中詰工の施工により順次（ａ）→（ｂ）へと移動させた状態を模式的に示す。
【図７】作業足場装置に載置フレームの角度調整手段を設けた例を示す。
【図８】作業足場装置を２つ用いて、足場を長くした例を示す。
【発明を実施するための形態】
【００１０】
本発明に係る作業足場装置１０の構造例を図４に示し、法枠１に載置及び支持させた状態を図１に示す。
また、図２はこの載置の支持状態を示す断面図で、図３は係止部の拡大図である。
傾斜面に沿って縦枠１ａと横枠１ｂとが格子状に交差した法枠１が施工されている。
本発明に係る作業足場装置１０は、法枠に沿った工事であればその作業に限定はないが、移動が頻繁に行われる中詰工に好適である。
中詰工には、枠内に栗石、粗石等を詰める空石張工、プレキャストコンクリート板を敷き並べる平板ブロック張工、枠内に敷設した栗石、粗石等の間にコンクリートを充填する練石張工の他にコンクリート張工、植生基材吹付工、土嚢積工等もある。
【００１１】
作業足場装置１０は、略水平方向に作業場１１が設けられるように、法枠１に沿って載置するための傾斜した載置フレーム１４と、この載置フレーム１４から垂直上方に立設した立設フレーム１２とで枠組みし、本実施例では立設フレーム１２ａ〜１２ｃの下端部を載置フレーム１４より下側に延設し、法枠の横枠の上部側面に係止する係止部１３ａ〜１３ｃと載置フレーム１４の上端側から下方に向けて垂下した係止部１３ｄを設けた例となっている。
【００１２】
本実施例では、Ｌ字チャンネル鋼１１ａ〜１１ｄの枠部材で枠組みし、この上に鋼板を溶接して作業場１１を形成した。
載置フレーム１４は、法枠の縦枠１ａに沿って延在させる縦フレーム１４ｂ，１４ｃと横枠１ｂに沿って延在させる横フレーム１４ａ，１４ｄとで枠体を形成し、さらに内側に格子状に補助フレーム１４ｅ，１４ｆを連結した。
この補助フレーム１４ｅ，１４ｆも法枠に載るような間隔が好ましい。
載置フレーム１４の最下段の横フレーム１４ａと、左右の縦フレーム１４ｂ，１４ｃの下端側付近から立設フレーム１２ａ〜１２ｃをそれぞれ立ち上げ、作業場１１と連結するとともに立設フレーム１２ａ〜１２ｃの下端部に法枠１の横枠１ｂの上方内側に係止する係止部１３ａ〜１３ｃを設けるとともに最上段の横フレーム１４ｄ側にも係止部１３ｄを設けた。
さらには、図３に拡大図を示すように係止部１３ａ〜１３ｃが法枠の横枠１ｂの側面に当接するように断面略三角形状の当接部材を取り付けた例になっている。
また、作業足場装置１０の吊り上げ，下げ時にワイヤー等を引っ掛けるフック部１８ａ等を設けてある。
作業場１１の端部には、作業の安全性を確保するのに支柱１５ａ，１５ｂ及び１６ａ，１６ｂを横桟１５ｃ，１６ｃ，１７ａ及び中桟１５ｄ，１６ｄ，１７ｂで連結した柵を設けた。
【００１３】
本発明に係る作業足場装置１０は、図５に示すようにクレーン等を用いて、例えばフック２０にワイヤー２１を用いて吊り上げ、移動しながら図６に示すように法枠に沿って移動させつつ、中詰部材２の中詰作業を行うことができる。
【００１４】
足場作業装置１０は、図７（ａ），（ｂ）に示すように作業場１１を形成する枠部材１１ｂ，１１ｃと立設フレーム１２ａ〜１２ｃにそれぞれ調整孔１１１ｃ，１１２ｃを設けることで、差し込みピン１９ｃをこの孔に挿通し、傾斜角度θを調整可能にしてもよい。
この場合に差し込みピン１９ａを軸中心にして載置フレーム１４が回転する。
また、図７（ｃ）に示すように載置フレーム側に調整孔１１４ｃを設けてもよく、この場合に差し込みピン１９ｂを所定の調整孔と立設フレーム１２ｃの差し込み孔と合致するようにして差し込むことになる。
本発明に係る作業足場装置は、図８に示すように２つ以上を組み合せて用いることもできる。
また、傾斜面の最上部にワイヤーの上端を結び、この作業足場措置にワイヤーの下端側を結ぶことで作業場の安定性を向上させてもよい。
【符号の説明】
【００１５】
１        法枠
１ａ      縦枠
１ｂ      横枠
１ｃ      枠内
２        中詰部材
１０      作業足場装置
１１      作業場
１２ａ    立設フレーム
１２ｂ    立設フレーム
１２ｃ    立設フレーム
１３ａ    係止部
１３ｂ    係止部
１４      載置フレーム
【図１】
2013113003.tif 000003
【図２】
2013113003.tif 000004
【図３】
2013113003.tif 000005
【図４】
2013113003.tif 000006
【図５】
2013113003.tif 000007
【図６】
2013113003.tif 000008
【図７】
2013113003.tif 000009
【図８】
2013113003.tif 000010